(57)【要約】      （修正有）【課題】暗い中でも十分視認可能な歩行者や自転車走行者用の視線誘導標を提供すること。【解決手段】反射板１をケース本体内の収容凹部に収容し、その周囲を包囲するように蓄光板２を配置する。ケース本体にケース蓋を被せ、レーザー溶着法によってケース本体とケース蓋との継ぎ目を溶着することで透明ケース３内に反射板１及び蓄光板２をがたつきなく封入することができる。このような視線誘導標を路面、壁面の任意の位置に透孔１０を介してアンカー部材で固定して設置し、その外周を包囲フレーム４によって包囲する。【選択図】図１
0003173084.tif 000002
【実用新案登録請求の範囲】
【請求項１】
歩行者又は自転車走行者に目視させてこれを誘導するために路面や壁面の表面に設置する視線誘導標において、
斜め方向から投影される光線をその投影方向に反射させる特性を有する反射板と、同反射板を包囲するように配置され蓄光素材からなる発光面を少なくともその表面に形成させた反射板包囲部とを薄板状の外観の透明ケース内に移動不能に収容してなることを特徴とする視線誘導標。
【請求項２】
前記反射板及び反射板包囲部が露出可能に前記透明ケースを包囲するように配置されるフレーム部材を有することを特徴とする請求項１に記載の視線誘導標。
【請求項３】
少なくとも前記透明ケース又はフレーム部のいずれか一方の表面には滑り止め加工が施されていることを特徴とする請求項１又は２に記載の視線誘導標。
【考案の詳細な説明】
【技術分野】
【０００１】
本考案は、例えば路面や壁面に設置して歩行者や自転車走行者に目視させて誘導するための視線誘導標に関するものである。
【背景技術】
【０００２】
従来から道路上を走行する走行車両を誘導するための視線誘導標が例えば路肩やガードレールに付属して配設されている。このような視線誘導標の一例として特許文献１を挙げる。車両のみならず、歩行者についても安全に歩行できるよう視線誘導標によって導いたり迷いやすい場所で道案内代わりに視線誘導標を用いることが考えられる。自転車についても同様である。
【先行技術文献】
【特許文献】
【０００３】
【特許文献１】特開平９−３１９２８号公報
【考案の概要】
【考案が解決しようとする課題】
【０００４】
しかし、車両であれば夜間にヘッドライトからの強い光を夜間に視線誘導標の反射板に反射させて運転者に視線誘導標を視認させることができるが、そのような照明手段を有さない歩行者では昼間であれば視線誘導標を目視できても、夜間のような暗い状況では視線誘導標が目視できなくなってしまう。自転車もそれほど強い照明手段を有していないので状況としては歩行者に近いと考えられる。そのため、暗い中でも役割を果たすことができる歩行者あるいは自転車走行者等のための視線誘導標が求められていた。
本考案の目的とするところは、暗い中でも十分視認可能な歩行者や自転車走行者用の視線誘導標を提供することにある。
【課題を解決するための手段】
【０００５】
上記の目的を達成するための第１の手段として、歩行者又は自転車走行者に目視させてこれを誘導するために路面や壁面の表面に設置する視線誘導標において、斜め方向から投影される光線をその投影方向に反射させる特性を有する反射板と、同反射板を包囲するように配置され蓄光素材からなる発光面を少なくともその表面に形成させた反射板包囲部とを薄板状の外観の透明ケース内に移動不能に収容してなることをその要旨とする。
また、第２の手段として第１の手段に加え、前記反射板及び反射板包囲部が露出可能に前記透明ケースを包囲するように配置されるフレーム部材を有することをその要旨とする。
また、第３の手段として第１又は第２の手段に加え、少なくとも前記透明ケース又はフレーム部のいずれか一方の表面には滑り止め加工が施されていることをその要旨とする。
【考案の効果】
【０００６】
本考案の視線誘導標では、夜間のような周囲が暗い状況でも反射板包囲部が発光して視認可能であり、懐中電灯や自転車前照灯で照らした光が反射板で反射する際にはその光が照らした人の方向に反射することとなるため設置位置も非常にわかりやすくなっているため、暗い中の歩行者や自転車走行者のための視線誘導標として好適である。
【図面の簡単な説明】
【０００７】
【図１】本考案の実施の形態の視線誘導標の透明ケースと包囲フレームの分解斜視図。
【図２】（ａ）は反射板の斜視図、（ｂ）は蓄光板の斜視図。
【図３】（ａ）はケース本体の斜視図、（ｂ）はケース蓋を反転させた裏面側の斜視図。
【図４】（ａ）は透明ケース、反射板及び蓄光板の位置関係を分解して示す一部切り欠き側断面図、（ｂ）は透明ケース、反射板、蓄光板及び包囲フレームの位置関係を組み合わせた状態の一部切り欠き横断面図。
【考案を実施するための形態】
【０００８】
以下、本考案の視線誘導標を具体化した実施の形態を図面に基づいて説明する。
図１に示すように、視線誘導標は反射板１、蓄光板２とこれら反射板１及び蓄光板２を収容する透明ケース３並びに包囲フレーム４から構成されている。図２（ａ）に示すように、反射板１は三面体プリズム素子を用いた高輝度の反射面１ａを表面に形成させた縦横比が４：１の直方体形状のプラスチック製の板体である。三面体プリズム素子は長手方向中央位置で鏡像対称となるように（つまり反射面が中央を境界に逆方向を向くように）形成されている。反射板１の長さは後述する収容凹部９の内周の一辺の長さに対応するため（実際は収容凹部９内に収容させるためにわずかに短い）、収容凹部９内にちょうど４本の同形状の反射板１が収容可能となる。図２（ｂ）に示すように、蓄光板２は厚紙の表面に蓄光材を主原料とする蓄光層２ａを形成させた中央に方形の開口部５が形成された角が滑らかに切り欠かれた略正方形形状の薄板体である。蓄光板２の外周形状は後述する外周壁部７ｂの内周形状に略一致し、開口部５の内周形状は後述する第１の内側壁部７ｃの外周形状に略一致する。
【０００９】
反射板１及び蓄光板２は透明ケース３内に封入されている。透明ケース３はケース本体７とケース蓋８から構成されている。図３(ａ)及び図４（ａ）に示すように、ケース本体７は４方向の角が滑らかに切り欠かれた略正方形の底板７ａと、底板７ａの全周縁に立設された外周壁部７ｂを備えている。外周壁部７ｂの内側位置には外周壁部７ｂと所定の間隔を保って第１の内側壁部７ｃと第２の内側壁部７ｄが立設されている。第２の内側壁部７ｄの内部は反射板１が収容される収容凹部９とされている。底板７ａの上面から第２の内側壁部７ｄの上端までの高さは同じく底板７ａの上面から外周壁部７ｂの上端までの高さと一致し、第１の内側壁部７ｃの高さのみ若干（蓄光層２ａの厚みとなる４．５ｍｍ）低く構成されている。底板７ａの上面から第２の内側壁部７ｄの上端までの高さは収容される反射板１の厚みｄと一致する。
ケース蓋８は天井板８ａと、天井板８ａの全周縁から下垂された外周下垂壁部８ｂを備えている。天井板８ａの上面には滑り止めとなる半球形状の突起１１が散点的に形成されている。ケース蓋８の四方のコーナー部分には表裏方向に連通する透孔１０が形成されている。天井板８ａの裏面から外周下垂壁部８ｂの下端までの長さは底板７ａの裏面から第２の外周壁部７ｂの上端までの高さに一致する。外周壁部７ｂの外周面と外周下垂壁部８ｂの内周面の形状は一致する。このため、ケース本体７に対してケース蓋８を嵌合させるとら外周下垂壁部８ｂの下端と底板７ａの裏面の高さは一致し、透明ケース３は全体として高さの低い薄板状の略直方体形状を呈することとなる。
【００１０】
図４（ａ）に示すように、ケース本体７の収容凹部９内には４本の反射板１を収容させるとともに、蓄光板２を外周壁部７ｂと第２の内側壁部７ｄとの間であって第１の内側壁部７ｃ上に開口部５が内側壁部７ｄを包囲するように載置する。この状態で外周壁部７ｂの上端、蓄光板２の上面、第２の内側壁部７ｄの上端及び反射板１の上面の高さは一致する。次いで、図４（ｂ）に示すようにケース蓋８を被せ、レーザー溶着法によってケース本体７とケース蓋８との継ぎ目を溶着することで透明ケース３内に反射板１及び蓄光板２をがたつきなく封入することができる。
このような構成の視線誘導標は路面、壁面の任意の位置に透孔１０を介してアンカー部材で固定して設置し、その外周を包囲フレーム４によって包囲するようにする（図４（ｂ）の状態）。包囲フレーム４の外周表面は下方に向かって徐々に高さが低くなる傾斜面４ａとされている。包囲フレーム４の上面には滑り止めとなる半球形状の突起１３が散点的に形成されている。
【００１１】
上記のような構成の視線誘導標であれば、次のような効果が奏される。
（１）路面、壁面に設置すると、日中に視線誘導標を目視できると同時に、暗くなってからでも蓄光板２が光るため、視線誘導標を視認して歩いたり自転車走行したりすることができる。
（２）自転車や懐中電灯からの投光は反射板１によって斜めに光が投影されると投影方向に反射されることとなるため、更に視認性が高まる。
【００１２】
尚、この考案は、次のように変更して具体化することも可能である。
・上記視線誘導標の外形形状は一例であって、他の形状で構成することも自由である。包囲フレーム４の外形形状や素材も同様である。
・包囲フレーム４を使用せずに視線誘導標を設置するようにしてもよい。
・滑り止めとなる突起１１，１３はなくとも構わない。
・その他、本考案の趣旨を逸脱しない態様で実施することは自由である。
【符号の説明】
【００１３】
１…反射板、２…反射板包囲部としての蓄光板、３…透明ケース。
【図１】
0003173084.tif 000003
【図２】
0003173084.tif 000004
【図３】
0003173084.tif 000005
【図４】
0003173084.tif 000006